(57)【要約】      （修正有）【課題】携帯することができ、外出時に確認する本人が点検確認した事項についてその場で自ら手動操作にて入力し、確認項目忘れを防止することができ、点検確認したことを容易に再認識して安心することができる操作が容易で且つ安価な装置を提供する。【解決手段】電池が装填される電源部２と、確認すべき事項が表示されている複数の確認表示板３と、前記各確認表示板３に対応して配設され交互リレーを介して点滅または消灯する発光ダイオード４と、各発光ダイオード４を全て点滅させる表示スイッチ５と、各発光ダイオードを個々に消灯させる確認スイッチ６とを備えた構成とした。【選択図】図１
0003130644.tif 000002
【実用新案登録請求の範囲】
【請求項１】
装置各部に電気を供給する電池が装填される電源部と、確認すべき事項が表示されている複数の確認表示板と、前記各確認表示板に対応して配設され交互リレーを介して点灯若しくは点滅または消灯する発光ダイオードと、前記各発光ダイオードを全て点灯若しくは点滅させる表示スイッチと、前記各発光ダイオードを個々に消灯させる前記各確認表示板に対応して配設された確認スイッチとを備えていることを特徴とする確認惹起装置。
【請求項２】
装置各部に電気を供給する電池が装填される電源部と、確認すべき事項が表示され交互リレーを介して点灯若しくは点滅または消灯する発光ダイオードにより発光する複数の発光確認表示板と、前記各発光確認表示板を発光させている前記各発光ダイオードを全て点灯若しくは点滅させる表示スイッチと、前記各発光確認表示板に対応して配設され点灯若しくは点滅している前記各発行ダイオードを個々に消灯させることにより発光している前記発光確認表示板を個々に消灯させる確認スイッチとを備えていることを特徴とする確認惹起装置。
【考案の詳細な説明】
【技術分野】
【０００１】
本考案は、外出しようとするとき、例えばガス・水道・戸締り等の確認忘れを防止し、またある作業をしているときに他の作業を開始し、その為にある作業である例えばガス・電熱器等が点け放しのまま放置されるのを防止する確認惹起装置に関する。
【背景技術】
【０００２】
従来、例えば外出しようとするとき、ガス・水道・照明・戸締り等を順次点検確認し、また財布・定期等の携帯物の忘れ物がなきことを点検確認した後に外出することになるが、急いでいるときに確認すべき項目が落ちることがある。また、一度確認した後で念のためそれらを頭の中で再確認する場合があるが、再確認段階において点検確認したことに確信を持てず、再度点検確認することが間々ある。また、例えばガス若しくは電熱器等を点けて湯を沸かそうとするとき、湯が沸くまでの間、他の作業を開始することがあるが、この場合他の作業に集中してしまう結果、ガス若しくは電熱器等を点けたことを忘れ、湯を沸かし過ぎてしまい、最悪の場合火事を発生させてしまう虞さえある。このようなことは多くの人が経験することであるが、一般的に加齢が進むにつれ、このような現象が頻繁に起きるようになる。
【０００３】
上述のような外出時にガス・水道・照明・戸締り等の安全を点検確認する装置としては種々提供されているが、一般的に高価であり、しかも装置自体が自動で確認するような複雑で大掛かりであるため、使用するためには装置を作動させる操作方法を初めに理解する必要があり、技術に疎い人や年配の人にとっては大きな負担となり、簡易に使いこなすことができなかった。また、上述の装置は、そこに居る本人が点検確認するのではなく装置自体が自動的に確認してしまうので、確認する本人が自ら装置本体を携帯し点検確認した事項についてその場で手動操作にて入力し、点検確認したことを再認識して安心することができる操作が容易で且つ安価な装置でもなかった。更に、他の作業を開始することで仕掛かり中の作業を忘れてしまうことを防止するため、他の作業をしている場所まで携帯し、仕掛かり中の作業があることについて注意を惹起することができる操作が容易で且つ安価な装置も存在していなかった。
【考案の開示】
【考案が解決しようとする課題】
【０００４】
本考案は、かかる上述の問題点を解決するためになされたものであって、その目的とするところは、携帯することができ、外出時に確認する本人が点検確認した事項についてその場で自ら手動操作にて入力し、確認項目忘れを防止すると共に、点検確認したことを容易に再認識して安心することができる操作が容易で且つ安価な装置を提供することである。
【０００５】
また、別の目的は、他の作業をすることで今まで行っていた仕掛かり中の作業を忘れることを防止するため、他の作業している場所まで携帯し、仕掛かり中の作業があることについて注意を惹起することができるような操作が容易で且つ安価な装置を提供することである。
【課題を解決するための手段】
【０００６】
上記目的を達成するため、本考案の請求項１に係る確認惹起装置は、装置各部に電気を供給する電池が装填される電源部と、確認すべき事項が表示されている複数の確認表示板と、前記各確認表示板に対応して配設され交互リレーを介して点灯若しくは点滅または消灯する発光ダイオードと、前記各発光ダイオードを全て点灯若しくは点滅させる表示スイッチと、前記各発光ダイオードを個々に消灯させる前記各確認表示板に対応して配設された確認スイッチとを備えていることを特徴とするものである。
【０００７】
また、本考案の請求項２に係る確認惹起装置は、装置各部に電気を供給する電池が装填される電源部と、確認すべき事項が表示され交互リレーを介して点灯若しくは点滅または消灯する発光ダイオードにより発光する複数の発光確認表示板と、前記各発光確認表示板を発光させている前記各発光ダイオードを全て点灯若しくは点滅させる表示スイッチと、前記各発光確認表示板に対応して配設され点灯若しくは点滅している前記各発行ダイオードを個々に消灯させることにより発光している前記発光確認表示板を個々に消灯させる確認スイッチとを備えていることを特徴とするものである。
【考案の効果】
【０００８】
本考案は、以下の効果を奏する。
【０００９】
すなわち、上記構成を備えた請求項１に係る確認惹起装置は、電源部と確認表示板と発光ダイオードと表示スイッチと確認スイッチとで構成されているので構造が簡易で安価に製造することができ、しかも軽量で携帯が可能であると共に操作が容易である。従って、例えば外出時に装置を確認する本人が点検確認する場所まで携帯し、表示スイッチで全て点灯若しくは点滅している各確認表示板に対応して配設されている発光ダイオードの内で点検確認した事項に対応して点灯若しくは点滅している発光ダイオードを確認スイッチで消灯させていくことを順次繰り返すことで、確認すべき項目落ちをなくすことができる。よって、点検忘れを防止することができると共に、自ら手動操作にて点検確認したことを入力するので、点検確認したことを容易に再認識することができ、安心して外出等することができる。
【００１０】
また、他の作業をすることにより今まで行っていた仕掛かり中の作業を忘れることを防止するため、例えば、他の作業している場所まで装置を携帯し、その場で表示スイッチを押すと共に仕掛かり中以外の確認が不要な事項に対応して点灯若しくは点滅している発光ダイオードを確認スイッチにより消灯させ、仕掛かり中の作業が表示されている確認表示板に対応する発光ダイオードのみ点灯若しくは点滅させることができる。従って、他の作業に熱中しても、仕掛かり中の作業があることに対し注意を惹起させることができる。
【００１１】
更に、発光ダイオードが交互リレーを介して点灯若しくは点滅または消灯するので電力消費量を少なくすることができ、電池を長期に亘って使用することができる。また、発光ダイオードを用いたことで、点灯させるほか点滅させることもでき、また光の直進性が強いので、人の注意を強く惹きつけることができる。
【００１２】
また請求項２に係る確認惹起装置は、請求項1に係る確認表示板と発光ダイオードとが一体となった発光確認表示板を有するので、効果としては請求項1と同様の効果を奏する他、更に発光確認表示板自体が発光ダイオードにより発光するので暗い場所で確認する場合であっても容易に発光確認表示板に表示されている内容を認識することができる特有の効果を奏する。
【考案を実施するための最良の形態】
【００１３】
つぎに本考案の実施形態を図面にしたがって説明する。
【００１４】
図1は、本考案の実施形態１に係る確認惹起装置の正面図である。図１に示す通り、確認惹起装置１は、電源部２と、確認表示板３と、発光ダイオード４と、表示スイッチ５と、確認スイッチ６とを備えている。
【００１５】
電源部２は、装置各部に電気を供給するものであって、単３の乾電池２本を直列に装填することができるようになっていて、蓋部を設け装填された乾電池の落下を防止するようになっている。なお、電池の種類は乾電池に限定されるものでなくボタン電池のような水銀電池等どのような電池でも良く、サイズ・本数等も単３の乾電池２本に限定されるものではない。
【００１６】
確認表示板３は、点検確認すべき事項が表示されているプラスッチクで成形された表示板である。本実施例では、５個の確認表示板（３ａ乃至３ｅ）が左から右に横に並べて配設されていて、確認すべき事項として、左端の確認表示板３ａには、「ガス・電熱器」と表示されており、それより順次右側に、確認表示板３ｂには「水道」と、確認表示板３ｃには「照明一式」と、確認表示板３ｄには「窓・ドアー」と、右端の確認表示板３ｅには「財布・定期券」と表示されている。なお、表示されている事項は使用者によって点検確認すべき事項が異なるため、適宜書き換えることができる確認表示板３が良い。従って、プラスチックの表面に文字を表示できるものである他、透明のプラスチックの下に文字を書いた紙が挟めるようなものであっても良い。また、材質としてもプラスチックに限定されるものではなく、本目的に合うものであればどのような材質のものであっても良い。
【００１７】
発光ダイオード（ＬＥＤ）４は、光の直進性が強く明るい所でも発光していることが容易に認識でき、５個の確認表示板（３ａ乃至３ｅ）に対応して５個（４ａ乃至４ｅ）が左から右に横に配設されていて、後述する交互リレーを介して点滅または消灯するようになっている。なお、発光ダイオード４には、点灯するものと点滅するものがあるが人の注意を惹きつける点で、点滅するのを用いるのが好適であるが点灯するものであっても良い。
【００１８】
交互リレーは、一般に市販されているものを用いることができ、例えば、オムロン製の型式Ｇ６ＡＫ−２７４Ｐ、松下電工製の型式ＮＲ−ＨＬ２Ｄ等を用いることができる。交互リレーの原理は、図２に示す通りである。即ち、交互リレー７は２個のコイル（７１ａ，７１ｂ）を有している。まず押釦スイッチ７３ａを押すと上述の２個のコイル７１の内のＯＮコイル７１ａに電流が流れ、リレー接点７５はＯＦＦ状態からＯＮ状態に移動し（図２ではＯＦＦ状態を示している）、端子７６のＡ−Ｂ間が閉となる。そのため、押釦スイッチ７３ａを離してもＯＮコイル７１ａに電量は流れないがリレー接点７５はＯＮ状態を保持し端子７６のＡ−Ｂ間も閉状態を保持することになる。よって、発光ダイオード４は電流が流れないでも点滅したままとなる。次いでＯＦＦ状態にするために、押釦スイッチ７３ｂを押すと交互リレー７内のＯＦＦコイル７１ｂに電流が流れ、リレー接点７５はＯＮ状態からＯＦＦ状態に戻り、端子７６のＡ-Ｂ間も閉から開になる。そのため、押釦スイッチ７３ｂを離してもＯＦＦコイル７１ｂに電流は流れないがリレー接点７５はＯＦＦ状態を保持し端子７６のＡ−Ｂ間も開状態を保持することになる。よって、発光ダイオード４は、消灯状態を保持することになる。
【００１９】
表示スイッチ５は、押釦スイッチであって、１個が配設されていて、上述の全ての発光ダイオード（４ａ乃至４ｅ）を交互リレーを介して一度に点滅させることができるようになっている。
【００２０】
確認スイッチ６は、押釦スイッチであって、上述の５個の確認表示板（３ａ乃至３ｅ）及び発光ダイオード（４ａ乃至４ｅ）に対応して左から右に横に５個（６ａ乃至６ｅ）が配設されていて、対応した発光ダイオード４のみを交互リレーを介して消灯させることができるようになっている。
【００２１】
上述のように構成された確認惹起装置１で、外出時の確認忘れ防止に用いるには、表示スイッチ５を押して５個全ての発光ダイオード（４ａ乃至４ｅ）を点滅させ、確認すべき場所まで携帯されている該装置１に対し、確認が済んだ項目、例えばガス・電熱器の確認が済んだ場合には、その項目が表示されている確認表示板３ａに対応して点滅している発光ダイオード４ａに対応した確認スイッチ６ａを押して消灯させる。次いで、水道の確認が済んだ場合には、その項目が表示されている確認表示板３ｂに対応して点滅している発光ダイオード４ｂに対応した確認スイッチ６ｂを押して消灯させる。この作業を順次繰り返し、５個全ての発光ダイオード（４ａ乃至４ｅ）を消灯させる。従って、発光ダイオード４が全て消灯した時点で全ての確認作業が行われたことになるので、確認忘れを防止することが可能となる。
【００２２】
また、他の作業を開始することで、今まで行っていた仕掛かり中の作業忘れ防止に確認惹起装置１を用いるには、他の作業を開始する場所に装置を携帯し、表示スイッチ５を押して５個全ての発光ダイオード（４ａ乃至４ｅ）を点滅させた後に、仕掛かり中以外の作業、例えば電熱器を使用して湯を沸かしていた場合には、確認スイッチ（６ｂ乃至６ｅ）により仕掛かり中であるガス・電熱器が表示されている確認表示板３ａに対応している発光ダイオード４ａ以外の発光ダイオード（４ｂ乃至４ｅ）を消灯させ、ガス・電熱器が表示されている確認表示板３ａに対応した発光ダイオード４ａのみを点滅させることができるので、仕掛かり中の作業があることに対し注意を惹起させることができ、作業忘れを防止することが可能となる。
【００２３】
図３は、実施形態２に係る確認惹起装置の正面図である。実施形態２は、実施形態１と構成を共通にする部分を有するので、この部分の説明を省略し、異なる部分についてのみ説明する。
【００２４】
実施形態２に係る確認惹起装置１は、実施形態１に係る確認表示板３と発光ダイオード４が一体となった発光確認表示板８を有している。即ち、実施形態１に係る確認表示板３の内部に発光ダイオード４を埋設した構成である。従って、表示スイッチ５を押すと全ての発光確認表示板８を点滅させることができ、また、夫々の確認スイッチ（６ａ乃至６ｅ）を押すとそれに対応した発光確認表示板（８ａ乃至８ｅ）のみを消灯させることができる。そのため、確認惹起装置１を暗い場所で使用する場合であっても発光確認表示板８に表示されている文字を容易に読むことが可能となる。
【図面の簡単な説明】
【００２５】
【図１】本考案の実施形態１である確認惹起装置の正面図である。
【図２】交互リレー回路の説明図である。
【図３】本考案の実施形態２である確認惹起装置の正面図である。
【符号の説明】
【００２６】
１  確認惹起装置
２  電源部
３  確認表示板
４  発光ダイオード
５  表示スイッチ
６  確認スイッチ
７  交互リレー
７１  コイル
７３  押釦スイッチ
７５  リレー接点
７６  端子
８  発光確認表示板
【図１】
0003130644.tif 000003
【図２】
0003130644.tif 000004
【図３】
0003130644.tif 000005